(57)【要約】【課題】リジューム情報の更新を選択的に行うことにより所望の再生位置から再生を開始することができるディスク記録再生装置および方法を提供すること。【解決手段】ディスク記録再生装置１のシステムコントローラ３０は、光ディスク１００の取り出しが指示されたときに、光ディスク１００のリジュームマーカ情報の内容更新の有無の確認を利用者に対して行い、リジューム情報の内容更新を行わない旨の確認がなされたときにリジュームマーカ情報の内容更新を行わずに、光ディスク１００を取り出す。この場合には、それまでのリジュームマーカ情報の内容が維持される。【選択図】        図１
2005004849.tif 000002
【特許請求の範囲】
【請求項１】
ディスク型記録媒体に対する情報の読み書きを行うディスク記録再生装置であって、
前記ディスク型記録媒体の一部の記録領域に書き込まれた再生開始位置を示すリジューム情報を読み出すリジューム情報読み出し手段と、
前記リジューム情報読み出し手段によって読み出されたリジューム情報によって指定される再生開始位置から、前記ディスク型記録媒体の記録情報を読み出して再生する再生手段と、
前記ディスク型記録媒体の取り出しが指示されたときに、前記リジューム情報の内容更新の有無の確認を利用者に対して行う確認手段と、
前記確認手段によって前記リジューム情報の内容更新を行う旨の確認がなされたときに、その時点での前記再生手段による前記ディスク型記録媒体の再生位置を再生開始位置として前記リジューム情報の内容更新を行い、前記リジューム情報の内容更新を行わない旨の確認がなされたときに、前記リジューム情報の内容更新を行わないリジューム情報内容更新手段と、
前記ディスク型記録媒体の取り出しが指示されたときに、前記確認手段および前記リジューム情報内容更新手段のそれぞれの動作が終了した後に前記ディスク型記録媒体の取り出しを行うディスク取り出し手段と、
を備えることを特徴とするディスク記録再生装置。
【請求項２】
請求項１において、
前記ディスク型記録媒体の取り出し指示を利用者が行う操作部をさらに備えることを特徴とするディスク記録再生装置。
【請求項３】
請求項１または２において、
前記ディスク型記録媒体は、ＤＶＤ−ＶＲ規格に準拠した光ディスクであることを特徴とするディスク記録再生装置。
【請求項４】
請求項３において、
前記リジューム情報は、前記光ディスクのビデオマネージャ情報管理テーブル内のリジュームマーカ情報として記録されることを特徴とするディスク記録再生装置。
【請求項５】
請求項１〜４のいずれかにおいて、
前記確認手段による確認動作の実行と、前記確認手段による確認動作を行わずに前記リジューム情報の更新動作の実行とを選択的に設定する設定手段をさらに備えていることを特徴とするディスク記録再生装置。
【請求項６】
請求項５において、
前記設定手段は、前記ディスク型記録媒体に記録された情報の再生動作とは別に、所定のセットアップ画面を用いて行われることを特徴とするディスク記録再生装置。
【請求項７】
ディスク型記録媒体に対する情報の読み書きを行うディスク記録再生装置におけるディスク記録再生方法であって、
前記ディスク型記録媒体の一部の記録領域に書き込まれた再生開始位置を示すリジューム情報を読み出す第１のステップと、
前記第１のステップにおいて読み出されたリジューム情報によって指定される再生開始位置から、前記ディスク型記録媒体の記録情報を読み出して再生する第２のステップと、
前記ディスク型記録媒体の取り出しが指示されたときに、前記リジューム情報の内容更新の有無の確認を利用者に対して行う第３のステップと、
前記第３のステップにおいて前記リジューム情報の内容更新を行う旨の確認がなされたときに、その時点での前記ディスク型記録媒体の再生位置を再生開始位置として前記リジューム情報の内容更新を行い、前記リジューム情報の内容更新を行わない旨の確認がなされたときに、前記リジューム情報の内容更新を行わない第４のステップと、
前記ディスク型記録媒体の取り出しが指示されたときに、前記第３および第４のステップのそれぞれの動作が終了した後に前記ディスク型記録媒体の取り出しを行う第５のステップと、
を有することを特徴とするディスク記録再生方法。
【発明の詳細な説明】
【０００１】
【発明の属する技術分野】
本発明は、映像の記録・再生動作を行うディスク記録再生装置および方法に関する。
【０００２】
【従来の技術】
従来から、光ディスク記録媒体の管理情報領域に次回再生開始位置を指示するリジューム情報を書き込むことにより、前回の再生停止位置を自動的に次回の再生開始位置とするリジューム機能を有するディスク再生装置が知られている（例えば、特許文献１参照。）。このディスク再生装置では、光ディスク記録媒体の管理情報領域にリジューム情報が格納されるため、再生対象となる光ディスク記録媒体の交換や装置間の移動にかかわらず、リジューム動作を確実に行うことが可能となる。
【０００３】
【特許文献１】
特開平１１−２９７０５２号公報（第２−４頁、図１−４）
【０００４】
【発明が解決しようとする課題】
ところで、上述した特許文献１に開示されたディスク再生装置では、光ディスク記録媒体を装置本体から排出する際に光ディスク記録媒体の管理情報領域（ＴＯＣエリア）に格納されたリジューム情報が更新されるため、常に前回の再生停止位置が次回の再生開始位置になる。このため、所望の再生位置から再生を行うことができないという問題があった。例えば、利用者が気に入った再生開始位置から再生が行われたため、次回も同じ再生位置から再生を開始したいと利用者が希望しても、次回の再生開始位置が次々に更新されてしまうため、この気に入った再生位置からコンテンツの再生を行おうとすると、利用者自身が操作部を操作して再生位置のサーチを行う必要があり、また、複数枚の光ディスク記録媒体があったときに、それぞれについて毎に気に入った再生位置を利用者自身が記憶しておく必要があるため、多大な手間がかかることになる。
【０００５】
本発明は、このような点に鑑みて創作されたものであり、その目的は、リジューム情報の更新を選択的に行うことにより所望の再生位置から再生を開始することができるディスク記録再生装置および方法を提供することにある。
【０００６】
【課題を解決するための手段】
上述した課題を解決するために、本発明のディスク記録再生装置は、ディスク型記録媒体に対する情報の読み書きを行うディスク記録再生装置であって、ディスク型記録媒体の一部の記録領域に書き込まれた再生開始位置を示すリジューム情報を読み出すリジューム情報読み出し手段と、リジューム情報読み出し手段によって読み出されたリジューム情報によって指定される再生開始位置から、ディスク型記録媒体の記録情報を読み出して再生する再生手段と、ディスク型記録媒体の取り出しが指示されたときに、リジューム情報の内容更新の有無の確認を利用者に対して行う確認手段と、確認手段によってリジューム情報の内容更新を行う旨の確認がなされたときに、その時点での再生手段によるディスク型記録媒体の再生位置を再生開始位置としてリジューム情報の内容更新を行い、リジューム情報の内容更新を行わない旨の確認がなされたときに、リジューム情報の内容更新を行わないリジューム情報内容更新手段と、ディスク型記録媒体の取り出しが指示されたときに、確認手段およびリジューム情報内容更新手段のそれぞれの動作が終了した後にディスク型記録媒体の取り出しを行うディスク取り出し手段とを備えている。
【０００７】
また、本発明のディスク記録再生方法は、ディスク型記録媒体に対する情報の読み書きを行うディスク記録再生装置におけるディスク記録再生方法であって、ディスク型記録媒体の一部の記録領域に書き込まれた再生開始位置を示すリジューム情報を読み出す第１のステップと、第１のステップにおいて読み出されたリジューム情報によって指定される再生開始位置から、ディスク型記録媒体の記録情報を読み出して再生する第２のステップと、ディスク型記録媒体の取り出しが指示されたときに、リジューム情報の内容更新の有無の確認を利用者に対して行う第３のステップと、第３のステップにおいてリジューム情報の内容更新を行う旨の確認がなされたときに、その時点でのディスク型記録媒体の再生位置を再生開始位置としてリジューム情報の内容更新を行い、リジューム情報の内容更新を行わない旨の確認がなされたときに、リジューム情報の内容更新を行わない第４のステップと、ディスク型記録媒体の取り出しが指示されたときに、第３および第４のステップのそれぞれの動作が終了した後にディスク型記録媒体の取り出しを行う第５のステップとを有している。
【０００８】
ディスク型記録媒体の取り出しが指示されたときに、リジューム情報の更新の有無を利用者に確認した後に、リジューム情報の更新動作を選択的に実行しているため、リジューム情報を更新しない場合には前回の再生開始位置を維持することができ、利用者の所望の再生位置から再生を開始することが可能になる。
【０００９】
また、上述したディスク型記録媒体の取り出し指示を利用者が行う操作部をさらに備えることが望ましい。これにより、利用者が操作部を操作してディスクの取り出しを指示したときに、同時にリジューム情報の更新の有無を選択することができるため、操作性の向上が可能になる。
【００１０】
また、上述したディスク型記録媒体は、ＤＶＤ−ＶＲ規格に準拠した光ディスクであることが望ましい。特に、上述したリジューム情報は、光ディスクのビデオマネージャ情報管理テーブル内のリジュームマーカ情報として記録されることが望ましい。ＤＶＤ−ＶＲ規格では、次回の再生開始位置を記録する領域（リジュームマーカ情報）が１箇所しか用意されていないが、本発明の手法を用いることにより、この領域の内容更新を利用者の意志によって選択的に行うことができるため、利用者の所望の再生位置から光ディスクの再生を行うことが可能になる。
【００１１】
また、上述した確認手段による確認動作の実行と、確認手段による確認動作を行わないリジューム情報の更新動作の実行とを選択的に設定する設定手段をさらに備えていることが望ましい。これにより、確認動作を伴わないリジューム情報の更新動作を実行する旨の設定がなされた場合に、従来と同様にディスク型記録媒体の取り出し時にリジューム情報を自動的に更新することができ、本発明の手法を用いない場合の操作手順の増大防止が可能になる。
【００１２】
また、上述した設定手段は、ディスク型記録媒体に記録された情報の再生動作とは別に、所定のセットアップ画面を用いて行われることが望ましい。これにより、再生動作を中断することなく設定手段による設定動作を実行することができ、それ以後は、リジューム情報の自動更新を行う従来手法との互換性を確保することが可能になる。
【００１３】
【発明の実施の形態】
以下、本発明を適用した一実施形態のディスク記録再生装置について図面を参照しながら説明する。
図１は、一実施形態のディスク記録再生装置の全体構成を示す図である。図１に示す本実施形態のディスク記録再生装置は、データの書き込みが可能な光ディスク１００に対してデータの読み書きを行うためのものであり、ディスクドライブ部１０、データプロセッサ部１２、エンコーダ部１４、デコーダ部１６、デジタル−アナログ変換器（Ｄ／Ａ）１８、ビデオミキシング部２０、ビデオエンコーダ２２、操作部２４、ディスクイジェクト部２６、システムコントローラ３０を含んで構成されている。
【００１４】
ディスクドライブ部１０は、光ディスク１００を回転駆動するとともに情報の読み書きを実行しており、回転駆動を行うサーボモータ等の回転制御系と、情報の読み書き位置に向けてレーザ光を照射するレーザ駆動系と、読み書き位置から反射された光を検出する光学系等を含んでいる。データプロセッサ部１２は、記録あるいは再生単位のデータを処理するためのものであり、バッファ回路、変調・復調回路、エラー訂正部等を含んでいる。
【００１５】
エンコーダ部１４は、光ディスク１００に映像や音声を記録する処理を行うためのものであり、入力されたアナログビデオ信号やオーディオ信号をデジタル化するビデオ用アナログ−デジタル変換器、オーディオ用アナログ−デジタル変換器と、記録に適した所定の変調データに変換するビデオ用エンコーダ、オーディオ用エンコーダとを有している。
【００１６】
外部入力としてビデオ信号とオーディオ信号が入力されると、エンコーダ部１４は、アナログビデオ信号をデジタルビデオ信号に変換した後、ＭＰＥＧ２またはＭＰＥＧ１規格に基づいた可変ビットレートで圧縮するとともに、アナログオーディオ信号をデジタルオーディオ信号に変換した後、ＭＰＥＧあるいはＡＣ−３規格に基づいた固定ビットレートで圧縮するエンコード処理を行う。エンコード処理されたデジタルビデオ信号およびデジタルオーディオ信号は、パック化され、ビデオパック、オーディオパックとなり、さらにこれらが集合されて、ＤＶＤ−ＶＲ（Ｖｉｄｅｏ  Ｒｅｃｏｒｄｉｎｇ）規格に準拠したフォーマットに変換される。このようにしてフォーマット化された情報は、データプロセッサ部１２を介してディスクドライブ部１０に送られ、光ディスク１００に記録される。
【００１７】
デコーダ部１６は、光ディスク１００に記録された映像や音声を再生する処理を行うためのものであり、パック構造を有するＤＶＤフォーマットの信号から各パックを分離して取り出すデータセパレータと、パック分離やその他の信号処理実行時に使用するメモリと、セパレータで分離されたビデオパックの内容である主映像データをデコードするビデオデコーダと、セパレータで分離されたオーディオパックの内容であるオーディオデータをデコードするオーディオデコーダとを有している。デコードされたビデオデータはビデオミキシング部２０に入力され、オーディオデータはデジタル−アナログ変換器１８に入力される。
【００１８】
デジタル−アナログ変換器１８は、入力されるオーディオデータをアナログオーディオ信号に変換し、スピーカ４０から出力する。
ビデオミキシング部２０は、入力されるビデオデータに字幕等のテキストデータを合成する。ビデオエンコーダ２２は、ビデオミキシング部２０から出力されるビデオデータを所定形式（例えばＮＴＳＣ形式）の映像信号に変換する。この映像信号はディスプレイ装置４２に向けて出力され、画面上に映像が表示される。
【００１９】
操作部２４は、利用者による各種の操作を行うためのものであり、光ディスク１００に対する映像・音楽の再生および記録を指示する再生、録音、停止キー等の各種の操作キーや、光ディスク１００の取り出しを指示するイジェクトキー、操作画面を用いた各種の設定を行うために必要なカーソルキーや決定キーを備えている。
【００２０】
ディスクイジェクト部２６は、操作部２４のイジェクトキーが押下されて利用者によるイジェクト操作が行われたときに、光ディスク１００を所定の装填位置から排出する。
システムコントローラ３０は、ディスク記録再生装置１の再生動作および記録動作を制御する。また、システムコントローラ３０は、各種の操作画面を作成するとともに、この作成画面を見た利用者によって操作部２４が操作されたときにその操作内容に応じて各種の設定を行う。例えば、本実施形態では、リジューム機能の有効／無効を予め、あるいはディスク取り出し時などに設定することができ、この設定動作がシステムコントローラ３０によって行われる。
【００２１】
上述したシステムコントローラ３０がリジューム情報読み出し手段、確認手段、リジューム情報内容更新手段、設定手段に、ディスクドライブ部１０、デコーダ部１６、デジタル−アナログ変換器１８、ビデオミキシング部２０、ビデオエンコーダ２２が再生手段に、システムコントローラ３０、ディスクイジェクト部２６がディスク取り出し手段にそれぞれ対応する。
【００２２】
本実施形態のディスク記録再生装置１はこのような構成を有しており、次にリジューム機能に関連する動作を説明する。
図２は、光ディスク１００に記録される情報のフォーマットを示す図であり、リジューム情報に関連する階層構造が示されている。図２に示すように、光ディスク１００には、書き込まれるビデオデータの管理領域としてのリアルタイム記録ビデオマネージャ（ＲＴＲ＿ＶＭＧ：Ｒｅａｌ  Ｔｉｍｅ  Ｒｅｃｏｒｄｉｎｇ  Ｖｉｄｅｏ  Ｍａｎａｇｅｒ）が含まれており、この中には、（１）リアルタイム記録ビデオマネージャ情報（ＲＴＲ＿ＶＭＧＩ：Ｒｅａｌ  Ｔｉｍｅ  Ｒｅｃｏｒｄｉｎｇ  Ｖｉｄｅｏ  Ｍａｎａｇｅｒ  Ｉｎｆｏｒｍａｔｉｏｎ）、（２）動画オーディ・ビデオファイル情報テーブル（Ｍ＿ＡＶＦＩＴ：Ｍｏｖｉｅ  ＡＶ  Ｆｉｌｅ  Ｉｎｆｏｒｍａｔｉｏｎ  Ｔａｂｌｅ）、（３）静止画オーディ・ビデオファイル情報テーブル（Ｓ＿ＡＶＦＩＴ：Ｓｔｉｌｌ  Ｐｉｃｔｕｒｅ  ＡＶ  Ｆｉｌｅ  Ｉｎｆｏｒｍａｔｉｏｎ  Ｔａｂｌｅ）、（４）オリジナル・プログラムチェーン情報（ＯＲＧ＿ＰＧＣＩ：Ｏｒｉｇｉｎａｌ  ＰＧＣ  Ｉｎｆｏｒｍａｔｉｏｎ）、（５）ユーザ定義プログラムチェーン情報テーブル（ＵＤ＿ＰＧＣＩＴ：Ｕｓｅｒ  Ｄｅｆｉｎｅｄ  ＰＧＣ  Ｉｎｆｏｒｍａｔｉｏｎ  Ｔａｂｌｅ）、（６）テキストデータマネージャ（ＴＸＴＤＴ＿ＭＧ：Ｔｅｘｔ  Ｄａｔａ  Ｍａｎａｇｅｒ）、（７）製造者情報テーブル（ＭＮＦＩＴ：Ｍａｎｕｆａｃｔｕｒｅ’ｓ  Ｉｎｆｏｒｍａｔｉｏｎ  Ｔａｂｌｅ）が含まれている。
【００２３】
また、（１）リアルタイム記録ビデオマネージャ情報（ＲＴＲ＿ＶＭＧＩ）は、ビデオマネージャ情報管理テーブル（ＶＭＧＩ＿ＭＡＴ：Ｖｉｄｅｏ  Ｍａｎａｇｅｒ  Ｉｎｆｏｒｍａｔｉｏｎ  Ｍａｎａｇｅｍｅｎｔ  Ｔａｂｌｅ）とプレイリストサーチポインターテーブル（ＰＬ＿ＳＲＰＴ：Ｐｌａｙ  Ｌｉｓｔ  Ｓｅａｒｃｈ  Ｐｏｉｎｔｅｒ  Ｔａｂｌｅ）を有し、この中でビデオマネージャ情報管理テーブル（ＶＭＧＩ＿ＭＡＴ）には、光ディスク１００上の次回の再生開始位置を示すリジュームマーカ情報（ＲＳＭ＿ＭＲＫＩ：Ｒｅｓｕｍｅ  Ｍａｒｋｅｒ  Ｉｎｆｏｒｍａｔｉｏｎ）が含まれている。
【００２４】
図３は、本実施形態のディスク記録再生装置１の動作手順を示す流れ図であり、光ディスク１００を取り出す際のリジュームマーカ情報の更新動作に着目した動作手順が示されている。
ディスク記録再生装置１の電源が投入されると、システムコントローラ３０は、光ディスク１００が装填されたか否かを判定しており（ステップ１００）、光ディスク１００が装填されていない場合には否定判断を行ってこの判定を繰り返す。また、装填されていなかった光ディスク１００が新たに装填された場合や、電源投入時に既に光ディスク１００が装填されている場合にはステップ１００の判定において肯定判断が行われ、次に、システムコントローラ３０は、装填された光ディスク１００のビデオマネージャ情報管理テーブル（ＶＭＧＩ＿ＭＡＴ）内のリジュームマーカ情報（ＲＳＭ＿ＭＲＫＩ）を読み出し（ステップ１０１）、このリジュームマーカ情報によって指定された再生開始位置から光ディスク１００を再生する制御を行う（ステップ１０２）。
【００２５】
次に、システムコントローラ３０は、利用者によって操作部２４のイジェクトキーが押下されて、光ディスク１００のイジェクト指示（取り出し指示）が行われたか否かを判定する（ステップ１０３）。イジェクトキーの押下によるイジェクト指示が行われない場合には否定判断が行われて、システムコントローラ３０は、利用者によって操作部２４の停止キーが押下されて再生停止の指示が行われたか否かを判定する（ステップ１０４）。利用者によって停止キーが押下されない場合にはステップ１０４の判定において否定判断が行われ、ステップ１０３に戻ってイジェクト指示の有無判定が繰り返される。また、利用者によって停止キーが押下された場合にはステップ１０４の判定において肯定判断が行われ、システムコントローラ３０は、それまで行っていた再生動作を停止させる（ステップ１０５）。
【００２６】
また、利用者によってイジェクトキーが押下されてイジェクト指示が行われた場合にはステップ１０３の判定において肯定判断が行われ、次に、システムコントローラ３０は、再生開始位置に更新確認が必要か否かを判定する（ステップ１０６）。
【００２７】
本実施形態のディスク記録再生装置１では、各種の設定を行うセットアップ画面において、光ディスク１００の取り出し時の動作として、リジュームマーカ情報を従来と同様に更新を行うか、毎回更新の有無を確認するかを選択することができるようになっている。このセットアップ画面において毎回更新の有無を確認する旨の選択肢が選択されている場合にはステップ１０６の判定において肯定判断が行われ、次に、システムコントローラ３０は、利用者によってリジュームマーカ情報の更新が指示されたか否かを判定する（ステップ１０７）。例えば、システムコントローラ３０は、リジュームマーカ情報の更新の有無を指示する選択肢が含まれる所定の更新確認画面をディスプレイ装置４２に表示し、利用者によって選択された選択肢を調べることにより、この判定を行う。
【００２８】
利用者によってリジュームマーカ情報の更新が指示されてステップ１０７の判定において肯定判断が行われた後、あるいは、セットアップ画面においてリジュームマーカ情報を従来と同様に更新する旨の選択肢が選択されてステップ１０６の判定において否定判断が行われた後、システムコントローラ３０は、イジェクト動作の対象となっている光ディスク１００のビデオマネージャ情報管理テーブル（ＶＭＧＩ＿ＭＡＴ）内のリジュームマーカ情報（ＲＳＭ＿ＭＲＫＩ）にその時点での再生位置を書き込んで、次回の再生開始位置の更新を行う（ステップ１０８）。その後、あるいは、利用者によってリジュームマーカ情報の更新が指示されなかった場合にはステップ１０７の判定において否定判断が行われた後、システムコントローラ３０は、ディスクイジェクト部２６に指示を送って光ディスク１００のイジェクト動作を行う（ステップ１０９）。
【００２９】
図４は、セットアップ画面の一例を示す図である。図４に示すセットアップ画面には、「ディスク交換時の再生開始位置の更新」の文字列と、２つの選択肢「更新」と「確認」が含まれている。リジュームマーカ情報の更新を従来通り行いたい場合、すなわち、光ディスク１００のイジェクト時に自動的にリジュームマーカ情報の内容を更新したい場合には、利用者は、操作部２４のカーソルキーを用いて選択肢「更新」を選択状態にした後、決定キーを押下すればよい。一方、光ディスク１００のイジェクト時に毎回リジュームマーカ情報の更新の有無を確認し、更新するか否かを毎回その時点で決めたい場合には、利用者は、選択肢「確認」を選択状態にした後決定キーを押下すればよい。
【００３０】
図５は、リジュームマーカ情報の更新の有無を確認する更新確認画面の一例を示す図である。図５に示す更新確認画面には、「次回の再生開始位置をこの場所に設定しますか？」の文字列と、２つの選択肢「ＹＥＳ」と「ＮＯ」が含まれている。従来と同じように、イジェクト時の再生位置を次回の再生開始位置として設定したい場合には、利用者は、操作部２４のカーソルキーを用いて選択肢「ＹＥＳ」を選択状態にした後、決定キーを押下すればよい。一方、イジェクト時にリジュームマーカ情報の内容を更新したくない場合には、利用者は、選択肢「ＮＯ」を選択状態にした後決定キーを押下すればよい。
【００３１】
図６は、本実施形態のディスク記録再生装置１の一連の動作の具体例を示す図である。例えば、光ディスク１００に記録されているタイトルは、チャプタ１〜１１に分割されており、光ディスク１００のビデオマネージャ情報管理テーブル（ＶＭＧＩ＿ＭＡＴ）内のリジュームマーカ情報（ＲＳＭ＿ＭＲＫＩ）にはチャプタ３の先頭部分が記録されているものとする。また、セットアップ画面を用いて、
光ディスク１００のイジェクト時に毎回リジュームマーカ情報の更新の有無を確認する旨の設定が予めなされているものとする。
【００３２】
電源投入後に、ディスク記録再生装置１にこのような光ディスク１００が装填されると、システムコントローラ３０は、この光ディスク１００に記録されたリジュームマーカ情報の内容を読み出して、このリジュームマーカ情報によって指定された再生開始位置、すなわち、チャプタ３の先頭からタイトルの再生を行う。
【００３３】
その後、チャプタ９の先頭部分までタイトルの再生が行われたときに、利用者によってイジェクト指示が行われると、システムコントローラ３０は、リジュームマーカ情報の更新の有無を確認する更新確認画面を表示する。この更新確認画面を用いて、リジュームマーカ情報を更新する旨の指示がなされると（選択肢「ＹＥＳ」が選択された場合）、その時点の再生位置（チャプタ９の先頭部分）を用いてリジュームマーカ情報の内容更新が行われる。したがって、この光ディスク１００が次にディスク記録再生装置１に装填されると、チャプタ９の先頭部分からタイトルの再生が開始される。
【００３４】
一方、光ディスク１００のイジェクト指示が行われたときに表示された更新確認画面を用いて、リジュームマーカ情報を更新しない旨の指示がなされると（選択肢「ＮＯ」が選択された場合）、その時点の再生位置（チャプタ９の先頭部分）を用いたリジュームマーカ情報の内容更新は行われない。したがって、この光ディスク１００が次にディスク記録再生装置１に装填されると、前回の再生開始位置であるチャプタ３の先頭部分から再度タイトルの再生が開始される。
【００３５】
このように、光ディスク１００の取り出しが指示されたときに、リジュームマーカ情報の更新の有無を利用者に確認した後に、リジュームマーカ情報の更新動作を選択的に実行しているため、リジュームマーカ情報を更新しない場合には前回の再生開始位置を維持することができ、利用者の所望の再生位置から再生を開始することが可能になる。
【００３６】
また、利用者が操作部２４を操作してディスクの取り出しを指示したときに、同時にリジュームマーカ情報の更新の有無を選択することができるため、操作性の向上が可能になる。
また、ＤＶＤ−ＶＲ規格では、次回の再生開始位置を記録する領域（リジュームマーカ情報）が１箇所しか用意されていないが、本実施形態の手法を用いることにより、この領域の内容更新を利用者の意志によって選択的に行うことができるため、利用者の所望の再生位置から光ディスクの再生を行うことが可能になる。
【００３７】
また、本実施形態のディスク記録再生装置１には、更新確認画面を用いたリジュームマーカ情報の更新確認動作の実行と、この確認動作を行わないリジュームマーカ情報の更新動作の実行とを選択的に設定するセットアップ画面を用いた設定手段（システムコントローラ３０）がさらに備わっている。このため、確認動作を伴わないリジュームマーカ情報の更新動作を実行する旨の設定がなされた場合に、従来と同様に光ディスク１００の取り出し時にリジュームマーカ情報を自動的に更新することができ、本実施形態の手法を用いない場合の操作手順の増大防止が可能になる。
【００３８】
また、上述した設定手段は、光ディスク１００に記録された情報の再生動作とは別に、所定のセットアップ画面を用いて行われるため、再生動作を中断することなくセットアップ画面を用いた設定動作を実行することができ、それ以後は、リジュームマーカ情報の自動更新を行う従来手法との互換性を確保することが可能になる。
【００３９】
なお、本発明は上記実施形態に限定されるものではなく、本発明の要旨の範囲内において種々の変形実施が可能である。上述した実施形態では、ＤＶＤ−ＶＲ規格に準拠した光ディスク１００を用いたディスク記録再生装置１について発明したが、他の規格に準拠したディスク型記録媒体を用いたディスク記録再生装置に本発明を適用してもよい。例えば、音楽情報を記録するＭＤ（ミニディスク）用の再生装置に本発明を適用してもよい。
【００４０】
また、上述した実施形態では、セットアップ画面を用いて、リジュームマーカ情報の更新の確認を行うか、自動更新を行うかを選択するようにしたが、常にイジェクト時の確認動作を行う場合には、このセットアップ画面を用いた設定動作を省略するようにしてもよい。
【００４１】
【発明の効果】
上述したように、本発明によれば、ディスク型記録媒体の取り出しが指示されたときに、リジューム情報の更新の有無を利用者に確認した後に、リジューム情報の更新動作を選択的に実行しているため、リジューム情報を更新しない場合には前回の再生開始位置を維持することができ、利用者の所望の再生位置から再生を開始することが可能になる。
【図面の簡単な説明】
【図１】一実施形態のディスク記録再生装置の全体構成を示す図である。
【図２】光ディスクに記録される情報のフォーマットを示す図である。
【図３】本実施形態のディスク記録再生装置の動作手順を示す流れ図である。
【図４】セットアップ画面の一例を示す図である。
【図５】リジュームマーカ情報の更新の有無を確認する更新確認画面の一例を示す図である。
【図６】本実施形態のディスク記録再生装置の一連の動作の具体例を示す図である。
【符号の説明】
１  ディスク記録再生装置
１０  ディスクドライブ部
１２  データプロセッサ部
１４  エンコーダ部
１６  デコーダ部
１８  デジタル−アナログ変換器（Ｄ／Ａ）
２０  ビデオミキシング部
２２  ビデオエンコーダ
２４  操作部
２６  ディスクイジェクト部
３０  システムコントローラ
４０  スピーカ
４２  ディスプレイ装置
１００  光ディスク
【図１】
2005004849.tif 000003
【図２】
2005004849.tif 000004
【図３】
2005004849.tif 000005
【図４】
2005004849.tif 000006
【図５】
2005004849.tif 000007
【図６】
2005004849.tif 000008